(57)【要約】  【課題】ユニホーム12を傷めずに着衣形状で飾れる衣服用額縁11を提供する。  【解決手段】額縁本体21にユニホーム12を収納する収納部34を設け、収納部34にハンガー取付部35を設ける。ユニホーム12をハンガー22の着衣部40にユニホーム12を着衣させる。ハンガー22の引掛孔47，52を収納部34のハンガー取付部35に引っ掛け、ユニホーム12を吊下げ状態で収納部34に収納する。ユニホーム12を傷めずに着衣形状で飾れる。  【選択図】図１
2005205106.tif 000002
【特許請求の範囲】
【請求項１】
衣服を収納する収納部およびこの収納部に設けられたハンガー取付部を有する額縁本体と、
衣服を着衣させる着衣部および前記額縁本体のハンガー取付部に引っ掛けられる引掛部を有するハンガーと
を具備していることを特徴とする衣服用額縁。
【請求項２】
ハンガーの着衣部は、板状で衣服の着衣形状に対応した形状に形成されている
ことを特徴とする請求項１記載の衣服用額縁。
【請求項３】
ハンガーの少なくとも衣服より露出する箇所の表面と額縁本体の収納部の表面とが同一素材で設けられている
ことを特徴とする請求項１または２記載の衣服用額縁。
【請求項４】
ハンガーの着衣部に、この着衣部より外側に突出する衣服の一部を着衣部の裏面側に折り畳んで保持する折畳部が設けられている
ことを特徴とする請求項１ないし３いずれか記載の衣服用額縁。
【請求項５】
額縁本体は、前面に収納部が設けられた裏板部、およびこの裏板部の前面に開閉可能に設けられた額縁部を備えている
ことを特徴とする請求項１ないし４いずれか記載の衣服用額縁。
【発明の詳細な説明】
【技術分野】
【０００１】
本発明は、衣服を飾る衣服用額縁に関する。
【背景技術】
【０００２】
従来、衣服を飾る衣服用額縁として、例えば、和服用額縁があり、この和服用額縁では、額縁本体の内部に和服を収納する収納部を形成し、この収納部の上部側にバーを横向きに架設し、和服の裾柄部分などが表に現れるように折り畳んだ状態でバーに引っ掛けて飾っている（例えば、特許文献１参照。）。
【０００３】
このような和服用額縁では、折り畳んで飾るため、飾れる衣服が和服などに限られ、例えば、サッカーや野球などのユニホームなどのように着衣状態に広げて飾る衣服には適していない。
【０００４】
そのため、ユニホームなどについては、着衣形状に広げた状態でピンを直接刺して額縁の裏板に係止することにより、着衣形状で飾るようにしている。
【特許文献１】特開平１１−３４６８８７号公報（第３頁、図１）
【発明の開示】
【発明が解決しようとする課題】
【０００５】
しかしながら、ユニホームなどを飾る場合、ユニホームにピンを直接刺すため、ユニホームを傷める問題がある。
【０００６】
本発明は、このような点に鑑みなされたもので、衣服を傷めずに着衣形状で飾ることができる衣服用額縁を提供することを目的とする。
【課題を解決するための手段】
【０００７】
請求項１記載の衣服用額縁は、衣服を収納する収納部およびこの収納部に設けられたハンガー取付部を有する額縁本体と、衣服を着衣させる着衣部および前記額縁本体のハンガー取付部に引っ掛けられる引掛部を有するハンガーとを具備しているものである。
【０００８】
そして、この構成では、ハンガーの着衣部に衣服を着衣させ、このハンガーの引掛部を額縁本体のハンガー取付部に引っ掛け、衣服を額縁本体の収納部に吊下げ状態に収納するため、衣服を傷めずに着衣形状で飾れる。
【０００９】
請求項２記載の衣服用額縁は、請求項１記載の衣服用額縁において、ハンガーの着衣部は、板状で衣服の着衣形状に対応した形状に形成されているものである。
【００１０】
そして、この構成では、ハンガーの着衣部を、板状で衣服の着衣形状に対応した形状に形成したため、衣服を着衣形状に保持して飾れる。
【００１１】
請求項３記載の衣服用額縁は、請求項１または２記載の衣服用額縁において、ハンガーの少なくとも衣服より露出する箇所の表面と額縁本体の収納部の表面とが同一素材で設けられているものである。
【００１２】
そして、この構成では、ハンガーの少なくとも衣服より露出する箇所の表面と額縁本体の収納部の表面とを同一素材で設けたため、ハンガーを目立たなくし、衣服を浮き出させて飾れる。
【００１３】
請求項４記載の衣服用額縁は、請求項１ないし３いずれか記載の衣服用額縁において、ハンガーの着衣部に、この着衣部より外側に突出する衣服の一部を着衣部の裏面側に折り畳んで保持する折畳部が設けられているものである。
【００１４】
そして、この構成では、ハンガーの着衣部に、衣服の一部を着衣部の裏面側に折り畳んで保持する折畳部を設けたため、ハンガーで衣服を飾る状態に保持して収納部に容易に配置可能となるとともに、衣服を着衣形状のままコンパクトにまとめて飾れる。
【００１５】
請求項５記載の衣服用額縁は、請求項１ないし４いずれか記載の衣服用額縁において、額縁本体は、前面に収納部が設けられた裏板部、およびこの裏板部の前面に開閉可能に設けられた額縁部を備えているものである。
【００１６】
そして、この構成では、前面に収納部が設けられた裏板部の前面に額縁部を開閉可能に設けたため、裏板部を壁に掛けたままでも衣服を容易に飾れる。
【発明の効果】
【００１７】
請求項１記載の衣服用額縁によれば、ハンガーの着衣部に衣服を着衣させ、このハンガーの引掛部を額縁本体のハンガー取付部に引っ掛け、衣服を額縁本体の収納部に吊下げ状態に収納するため、衣服を傷めずに着衣形状で飾ることができる。
【００１８】
請求項２記載の衣服用額縁によれば、請求項１記載の衣服用額縁の効果に加えて、ハンガーの着衣部を、板状で衣服の着衣形状に対応した形状に形成したため、衣服を着衣形状に保持して飾ることができる。
【００１９】
請求項３記載の衣服用額縁によれば、請求項１または２記載の衣服用額縁の効果に加えて、ハンガーの少なくとも衣服より露出する箇所の表面と額縁本体の収納部の表面とを同一素材で設けたため、ハンガーを目立たなくでき、衣服を浮き出させて飾ることができる。
【００２０】
請求項４記載の衣服用額縁によれば、請求項１ないし３いずれか記載の衣服用額縁の効果に加えて、ハンガーの着衣部に、この着衣部より外側に突出する衣服の一部を着衣部の裏面側に折り畳んで保持する折畳部を設けたため、ハンガーで衣服を飾る状態に保持して収納部に容易に配置できるとともに、衣服を着衣形状のままコンパクトにまとめて飾ることができる。
【００２１】
請求項５記載の衣服用額縁によれば、請求項１ないし４いずれか記載の衣服用額縁の効果に加えて、前面に収納部が設けられた裏板部の前面に額縁部を開閉可能に設けたため、裏板部を壁に掛けたままでも衣服を容易に飾ることができる。
【発明を実施するための最良の形態】
【００２２】
以下、本発明の一実施の形態を図面を参照して説明する。
【００２３】
図１ないし図４に第１の実施の形態を示し、11は衣服用額縁で、この衣服用額縁11によって飾る衣服としては、例えばサッカー、野球、バスケットボールなどの各種競技のユニホーム12がある。
【００２４】
図１に示すように、衣服用額縁11は、ユニホーム12を収納する額縁本体21、およびユニホーム12を着衣させるハンガー22を有している。さらに、額縁本体21は、額縁部25、およびこの額縁部25の裏面側から着脱可能に取り付けられる裏板部26を有している。
【００２５】
額縁部25には、四角形枠状の額縁枠27が設けられ、この額縁枠27の内側前面にガラス板やアクリル板などの透明板28が取り付けられている。額縁枠27は、木製で黒色に塗装されたフレーム29を有し、このフレーム29の前面側から側面前側にわたって例えばアルミニウム製の化粧パネル30が取り付けられている。額縁枠27の内側後面には裏板部26が嵌め込まれる開口部31が形成され、額縁枠27の後面には開口部31に嵌め込んだ裏板部26を着脱可能に係止する例えばトンボなどの図示しない係止具が取り付けられるとともに壁掛け用の図示しないフックが取り付けられている。
【００２６】
裏板部26には、四角形枠状の枠部32が設けられ、この枠部32の裏面側に裏板33が取り付けられ、枠部32で囲まれた裏板33の前面側に凹部26aが形成されており、この凹部26aには額縁部25との間にユニホーム12を収納する収納部34が形成されている。収納部34の上部側にはハンガー22を引っ掛けて着脱可能に取り付ける棒状のハンガー取付部35が裏板33から突設され、このハンガー取付部35の上面側にはハンガー22が係合して外れるのを防止する係止手段としての窪み部36が形成されている。収納部34内の表面には、ハンガー取付部35の表面も含めて、例えば黒色の起毛素材などで形成された表皮材37が貼り付けられている。
【００２７】
また、図２および図３に示すように、ハンガー22は、例えばダンボール紙などで板状に形成され、ユニホーム12を着衣させる着衣部40、この着衣部40の下側に折り線41を介して形成された曲げ部42、この曲げ部42を介して着衣部40の裏面側に折り畳まれる折畳部43を有している。
【００２８】
着衣部40は、板状でユニホーム12の着衣形状に対応した形状に形成されており、すなわち、ユニホーム12の胸または背から胴にかけた板状の上半身部44を有し、この上半身部44の上部の中央に首部45が形成されているとともにこの首部45の両側から下降傾斜する両側の肩部46が形成されており、ユニホーム12を着衣形状に整形した状態で保持できる。首部45にはハンガー取付部35に引っ掛けられる引掛部として引掛孔47が形成されている。着衣部40の首部45および肩部46を含む上部側には、着衣部40の表面側から裏面側にわたって、収納部34の表皮材37と同一素材の表皮材48が貼り付けられている。
【００２９】
曲げ部42は、着衣部40と折畳部43との間にユニホーム12の一部を挟み込み可能とする隙間をあけることができる。
【００３０】
折畳部43は、着衣部40の裏面側に折り畳んだ状態で略同一形状となるように形成され、すなわち着衣部40と同様に上半身部49、首部50および肩部51が形成されているとともに首部50に引掛部としての引掛孔52が形成されている。ただし、首部50および肩部51の外形は着衣部40の外形より小さく、折り畳んだ状態で前方から見て着衣部40に隠れるように構成されている。
【００３１】
そして、衣服用額縁11によってユニホーム12を飾る場合には、図２に示すように、ユニホーム12の前面側または背面側のうちの飾る側をハンガー22の着衣部40の表面側に合わせ、ユニホーム12を展開状態のハンガー22の着衣部40に着衣させ、ユニホーム12の襟口からハンガー22の首部45を突出させ、ユニホーム12の裾を折畳部43まで伸ばす。
【００３２】
図３に示すように、ユニホーム12の袖を着衣部40の裏面側に折り込み、着衣部40から曲げ部42を介してユニホーム12の裾と一緒に折畳部43を着衣部40の裏面側に折り畳む。これにより、ユニホーム12の袖および裾を着衣部40と折畳部43との間に挟み込み、ユニホーム12を飾る状態に保持する。
【００３３】
図１に示すように、ハンガー22の引掛孔47，52を裏板部26のハンガー取付部35に通して引っ掛け、このハンガー22によってユニホーム12を収納部34に配置する。
【００３４】
裏板部26が開口部31に嵌まり込むように額縁部25を被せ、額縁部25のトンボなどの係止具で額縁部25に裏板部26を係止する。
【００３５】
こうして、図４に示すように、衣服用額縁11の収納部34にユニホーム12を収納して飾ることができる。収納部34に収納されたユニホーム12は、透明板28と裏板部26との間で押し潰されることはなく、ハンガー22による吊下げによって支持されている。
【００３６】
このように、ハンガー22の着衣部40にユニホーム12を着衣させ、このハンガー22の引掛孔47，52を額縁本体21のハンガー取付部35に引っ掛けてユニホーム12を額縁本体21の収納部34に吊下げ状態に収納するため、ユニホーム12にピンなどを刺すことなく、ユニホーム12を傷めずに着衣形状で飾ることができる。
【００３７】
ハンガー22の着衣部40を、板状でユニホーム12の着衣形状に対応した形状に形成したため、ユニホーム12を着衣形状に保持して飾ることができる。
【００３８】
また、ハンガー22のユニホーム12より露出する箇所の表面の表皮材48と額縁本体21の収納部34の表面の表皮材37とを同一素材で設けているため、ハンガー22を目立たなくでき、ユニホーム12を浮き出させて飾ることができる。
【００３９】
また、ハンガー22の着衣部40に、この着衣部40より外側に突出するユニホーム12の一部を着衣部40の裏面側に折り畳んで保持する折畳部43を設けたため、ハンガー22でユニホーム12を飾る状態に保持して収納部34に容易に配置できるとともに、ユニホーム12を着衣形状のままコンパクトにまとめて飾ることができる。
【００４０】
また、額縁枠27を、木製で黒色に塗装されたフレーム29と、このフレーム29の前面側および側面前側にわたって配置される例えばアルミニウム製など化粧パネル30とで構成するため、シャープな雰囲気を出すことができる。
【００４１】
なお、ユニホーム12の袖は、ハンガー22の着衣部40と折畳部43との間に挟み込まなくても、着衣部40の表面側に折り返して見えるようにしてもよい。
【００４２】
次に、図５および図６に第２の実施の形態を示す。この第２の実施の形態の衣服用額縁11では、ユニホーム12の胴体部分を折り畳まずに伸ばした状態で飾ることができる大形タイプで、額縁部25の外形と裏板部26の外形が略同一に形成され、額縁部25が裏板部26の前面に対して開閉可能に設けられている。
【００４３】
額縁部25と裏板部26との一側が複数のヒンジ61によって回動可能に連結され、裏板部26の他側に複数の留め具62が取り付けられているとともに額縁部25の他側に裏板部26の各留め具62に着脱可能に取り付けられる複数の留め金63が取り付けられている。
【００４４】
額縁部25には、四角形枠状の額縁枠27が設けられ、この額縁枠27の内側前面に透明板28が取り付けられている。額縁枠27は、図示しない木製のフレームを有し、このフレームの前面側から側面にわたって例えばアルミニウム製の化粧パネル30が取り付けられている。
【００４５】
裏板部26には、四角形枠状の枠部32が設けられ、この枠部32の裏面側に裏板33が取り付けられ、枠部32で囲まれた裏板33の前面側に凹部26aが形成されており、この凹部26aには額縁部25との間にユニホーム12を収納する収納部34が形成されている。収納部34の上部側にはハンガー22を引っ掛けて着脱可能に取り付ける棒状のハンガー取付部35が裏板33から突設され、このハンガー取付部35の上面側にはハンガー22が係合して外れるのを防止する係止手段としての窪み部36が形成されている。収納部34内の表面には、ハンガー取付部35の表面も含めて、例えば黒色の起毛素材などで形成された表皮材37が貼り付けられている。裏板部26の裏面には壁掛け用の図示しないフックが取り付けられている。
【００４６】
また、ハンガー22は、例えばダンボール紙などで板状に形成され、ユニホーム12を着衣させる着衣部40を有している。着衣部40は、板状でユニホーム12の着衣形状に対応した形状に形成されており、すなわち、ユニホーム12の胸または背に対応した板状の上半身部44を有し、この上半身部44の上部の中央に首部45が形成されているとともにこの首部45の両側から下降傾斜する両側の肩部46が形成され、さらに、両側の肩部46から袖部66が形成されており、ユニホーム12を着衣形状に整形した状態で保持できる。首部45にはハンガー取付部35に引っ掛けられる引掛孔47が形成されている。ハンガー22には、ハンガー22の表面側から裏面側にわたって、収納部34の表皮材37と同一素材の表皮材48が貼り付けられている。
【００４７】
そして、衣服用額縁11によってユニホーム12を飾る場合には、図５に示すように、ユニホーム12の前面側または背面側のうちの飾る側をハンガー22の着衣部40の表面側に合わせ、ユニホーム12をハンガー22の着衣部40に着衣させ、ユニホーム12の襟口からハンガー22の首部45を出し、ユニホーム12の両袖をハンガー22の両袖部66に通し、ユニホーム12の裾をハンガー22の下方へ伸ばす。ユニホーム12の両袖をハンガー22の両袖部66で折り返す。
【００４８】
ハンガー22の引掛孔47を裏板部26のハンガー取付部35に通して引っ掛け、このハンガー22によってユニホーム12を収納部34に配置する。
【００４９】
額縁部25を裏板部26に閉じ合わせ、額縁部25の各留め金63を裏板部26の止め具62に引っ掛けて止める。
【００５０】
こうして、図６に示すように、衣服用額縁11の収納部34にユニホーム12を収納して飾ることができる。収納部34に収納されたユニホーム12は、透明板28と裏板部26との間で押し潰されることはなく、ハンガー22による吊下げによって支持されている。
【００５１】
このように、ハンガー22の着衣部40にユニホーム12を着衣させ、このハンガー22の引掛孔47を額縁本体21のハンガー取付部35に引っ掛け、ユニホーム12を額縁本体21の収納部34に吊下げ状態に収納するため、ユニホーム12にピンなどを刺すことなく、ユニホーム12を傷めずに着衣形状で飾ることができる。
【００５２】
ハンガー22の着衣部40を、板状でユニホーム12の着衣形状に対応した形状に形成したため、ユニホーム12を着衣形状に保持して飾ることができる。
【００５３】
また、ハンガー22のユニホーム12より露出する箇所の表面の表皮材48と額縁本体21の収納部34の表面の表皮材37とを同一素材で設けているため、ハンガー22を目立たなくでき、ユニホーム12を浮き出させて飾ることができる。
【００５４】
また、前面に収納部34が設けられた裏板部26の前面に額縁部25を開閉可能に設けたため、裏板部26を壁に掛けたままでもユニホーム12を容易に飾ることができ、容易に交換することもできる。
【００５５】
また、額縁部25の額縁枠27にアルミニウム製の化粧パネル30を設け、裏板部26を木製で黒色に塗装しているため、シャープな雰囲気を出すことができる。
【００５６】
なお、衣服用額縁11で飾る衣服としては、ユニホーム12に限らず、例えば希少性や美観を有する衣服や、その他の衣服についても、同様に飾ることができる。また、衣服としては、上半身に身に着けるものに限らず、例えばジーンズなどや、着物などについても、同様に飾ることができる。
【００５７】
また、ハンガー22の着衣部40の少なくも表面側を立体的に構成することにより、この着衣部40に着衣させた衣服を立体的に飾ることができる。さらに、ハンガー22の着衣部40を全身形状に対応して形成することにより、全身に身につける衣服を飾ることもできる。
【図面の簡単な説明】
【００５８】
【図１】本発明の第１の実施の形態を示す衣服用額縁の分解状態の斜視図である。
【図２】同上衣服用額縁のハンガーを示し、(a)はハンガーの展開状態の正面図、(b)はハンガーの展開状態の側面図である。
【図３】同上衣服用額縁のハンガーを示し、(a)はハンガーの折り畳み状態の正面図、(b)はハンガーの折り畳み状態の側面図である。
【図４】同上衣服用額縁の正面図である。
【図５】本発明の第２の実施の形態を示す衣服用額縁の分解状態の斜視図である。
【図６】同上衣服用額縁の正面図である。
【符号の説明】
【００５９】
11    衣服用額縁
12    衣服としてのユニホーム
21    額縁本体
22    ハンガー
25    額縁部
26    裏板部
34    収納部
35    ハンガー取付部
40    着衣部
43    折畳部
47，52    引掛部としての引掛孔
【図１】
2005205106.tif 000003
【図２】
2005205106.tif 000004
【図３】
2005205106.tif 000005
【図４】
2005205106.tif 000006
【図５】
2005205106.tif 000007
【図６】
2005205106.tif 000008